(57)【特許請求の範囲】
【請求項１】
樹脂成型品よりなる箱部と、該箱部の一辺にヒンジ部を介して連結された蓋部とからなり、該蓋部は上記ヒンジ部を中心として上記箱部の開口部に対し開閉可能とし、上記ヒンジ部の軸線に直交する平面上において、上記蓋部と箱部のいずれか一方に突設した係止突起と、いずれか他方に係止凹部を形成すると共に、上記係止突起が弾性的に挿入されて係止可能な係止凹部とからなるロック手段を、上記ヒンジ部からの距離を隔てて２箇所以上に配設するようにしたワイヤハーネス用蓋付きボックスにおいて、
上記ロック手段のうち、上記ヒンジ部からの距離が短い方の第１ロック手段は、ヒンジ部からの距離が長い方の第２ロック手段より係止凹部に対する係止突起の係止部分を小さく設定することで、上記ヒンジ部を中心とする蓋部の回転操作中における第１ロック手段と第２ロック手段の係止突起の挿入力を均一化する設定としていることを特徴とするワイヤハーネス用蓋付きボックス。
【請求項２】
上記第１ロック手段の係止突起の幅を上記第２ロック手段の係止突起の幅より狭くすることで第１ロック手段の係止部分を小さくしている請求項１に記載のワイヤハーネス用蓋付きボックス。
【請求項３】
上記第１ロック手段の係止突起の突出高さを上記第２ロック手段の係止突起の突出高さより低くすることで第１ロック手段の係止部分を小さくしている請求項１に記載のワイヤハーネス用蓋付きボックス。
【発明の詳細な説明】
【０００１】
【発明の属する技術分野】
本発明は、ワイヤハーネス用蓋付きボックスに関し、詳しくは、蓋体を閉鎖方向に操作してロックする際の操作性向上を図るものである。
【０００２】
【従来の技術】
樹脂成型品のボックスは、自動車用部品として電線束を収容するプロテクタ、分岐回路や電子部品を収容する電気接続箱等、ワイヤハーネスの保護部材として多用されている。例えば、特開平９−６５５４０号公報には、ワイヤハーネス用のプロテクタが記載されている。このプロテクタ１は、図４（Ａ）（Ｂ）に示すように、電線束Ｗに対し、ヒンジ部３を中心として開閉可能な蓋部４が設けられ、収容部２の側壁との間には、蓋部４を閉鎖状態に固定するためのロック手段５が設けられている。ロック手段５は蓋部４の両側に突設した係止突起６と、収容部２の側壁に設けられ上記係止突起６が弾性的に挿入されて係合する枠状の係止凹部７とから構成されている。そして、蓋部４を閉鎖固定するには、蓋部４を閉鎖方向に回転操作して係止突起６を係止凹部７に挿入する操作により行われる。
【０００３】
上記のロック手段５は、左右一対の係止突起６により係止するものであるが、例えば、図５（Ａ）（Ｂ）に示すように、蓋部１４の大きさの都合上、ロック手段を一側方に２箇所以上配設する場合がある。この蓋付きボックス１１は、ヒンジ部１３を中心として箱部１２の開口部に対し蓋部１４が開閉可能に連結され、蓋部１４と箱部１２との間には、ヒンジ部１３からの距離（Ｌ１、Ｌ２）を隔てて第１ロック手段１５Ａと第２ロック手段１５Ｂが配設されている。第１ロック手段１５Ａと第２ロック手段１５Ｂは、図５（Ｃ）に示すように、係止突起１６が係止凹部１７に弾性的に挿入されて係合することで、蓋部１４を閉鎖状態にロック可能とされている。
【０００４】
【発明が解決しようとする課題】
しかしながら、上記のロック構造では、第１ロック手段１５Ａと第２ロック手段１５Ｂとの間に、回転中心であるヒンジ部１３からの距離（Ｌ１、Ｌ２）に差が生じる。このため、ヒンジ部１３から近い方の第１ロック手段１５Ａにおいては、回転半径が小さいので、係止突起１６が係止凹部１７に挿入される際、斜め方向からの挿入となり、回転半径の大きい第２ロック手段１５Ｂよりも挿入抵抗が大きくなり、蓋部１４の閉鎖作業の操作性低下をきたしていた。この傾向は、例えばＰＢＴのような硬い樹脂材料ほど顕著に現れていた。
【０００５】
本発明は上記した問題に鑑みてなされたもので、回転半径の小さい位置にあるロック手段の挿入力を小さくして、回転中心からの距離の異なるロック手段の間での挿入力の均一化を図り、これにより蓋部の閉鎖作業性を向上することを課題としている。
【０００６】
【課題を解決するための手段】
上記課題を解決するため、本発明は、樹脂成型品よりなる箱部と、該箱部の一辺にヒンジ部を介して連結された蓋部とからなり、該蓋部は上記ヒンジ部を中心として上記箱部の開口部に対し開閉可能とし、上記ヒンジ部の軸線に直交する平面上において、上記蓋部と箱部のいずれか一方に突設した係止突起と、いずれか他方に係止凹部を形成すると共に、上記係止突起が弾性的に挿入されて係止可能な係止凹部とからなるロック手段を、上記ヒンジ部からの距離を隔てて２箇所以上に配設するようにしたワイヤハーネス用蓋付きボックスにおいて、
上記ロック手段のうち、上記ヒンジ部からの距離が短い方の第１ロック手段は、ヒンジ部からの距離が長い方の第２ロック手段より係止凹部に対する係止突起の係止部分を小さく設定することで、上記ヒンジ部を中心とする蓋部の回転操作中における第１ロック手段と第２ロック手段の係止突起の挿入力を均一化する設定としていることを特徴とするワイヤハーネス用蓋付きボックスを提供している。
【０００７】
上記構成によれば、蓋部の回転半径が小さいため係止突起と係止凹部が斜め方向から係合されることに起因する第１ロック手段の挿入力の増加分を軽減することができ、第２ロック手段との操作性のバランスを確保することができる。
【０００８】
具体的には、上記第１ロック手段の係止突起の幅を上記第２ロック手段の係止突起の幅より狭くすることで第１ロック手段の係止部分を小さくのが好ましい。このようにすれば、係止突起と係止凹部の係止部分の幅が狭くなった分、係止凹部に挿入される際の接触面積が少なくなり、その挿入抵抗を低減できる。
【０００９】
また、上記第１ロック手段の係止突起の突出高さを上記第２ロック手段の係止突起の突出高さより低くすることで第１ロック手段の係止部分を小さくするようにしてもよい。この場合、係止突起が係止凹部に係合する際に乗り越えるときの抵抗を低減することができる。
【００１０】
【発明の実施の形態】
以下、本発明の実施形態を図面を参照して説明する。
図１、２はワイヤハーネス用蓋付きボックス２１の第一実施形態を示し、樹脂成型品よりなる箱部２２と、該箱部２２の一辺にヒンジ部２３を介して連結された蓋部２４とからなっている。蓋部２４は、ヒンジ部２３を回転中心として箱部２２の開口部２２ａに対し開閉可能とし、蓋部２４の両側には、蓋部２４の閉鎖状態において箱部２２の両側壁２２ｂを挟み込むようにして重合する一対の側枠２４ａ、２４ｂをそれぞれ一体突設している。
【００１１】
蓋部２４は閉鎖状態において、ヒンジ部２３の軸線に直交する平面上において側枠２４ａ、２４ｂが箱部２２の側壁２２ｂに重合され、この状態で蓋部２４を係止固定するロック手段２５が設けられている。ロック手段２５は、ヒンジ部２３からの距離Ｌ１が短い第１ロック手段２５Ａと、その距離Ｌ２が長い第２ロック手段２５Ｂとの距離を隔てた２箇所に配設されている。ロック手段２５は、側壁２２ｂの上端部にそれぞれ外方に向かって突設された係止突起２６Ａ、２６Ｂと、側枠２４ａの対応位置に形成した係止凹部２７Ａ、２７Ｂとからなっている。係止突起２６Ａ、２６Ｂは側枠２４ａ、２４ｂが被さってくる方向に至るに従い外方への突出量が増加する傾斜面２６ａと、該傾斜面２６ａに続いて側壁２２ｂに対し垂直に切り立った係止面２６ｂとを備えている。一方、係止凹部２７Ａ、２７Ｂは、それぞれ係止突起２６Ａ、２６Ｂの幅に対応して外嵌可能な溝幅を有し、溝の端面２７ａが係止突起２６Ａ、２６Ｂの係止面２６ｂに係止可能とされている。
【００１２】
本実施形態においては、図２（Ａ）に示すように、ロック手段２５のうち第１ロック手段２５Ａの係止突起２６Ａの幅Ｗ１は、ロック手段２５Ｂの係止突起２６Ｂの幅Ｗ２より狭く設定することで、係止凹部２７Ａに対する係止突起２６Ａの係止部分を、係止突起２６Ｂと係止凹部２７Ｂとの間の係止部分より小さくしている。
【００１３】
上記構成において、図２（Ａ）（Ｂ）に示すように、蓋部２４を箱部２２の開口部２２ａに被せるために、ヒンジ部２３を中心として回転操作すると、先ず、ヒンジ部２３からの距離Ｌ１の近い側の第１ロック手段２５Ａが係止し、続いて第２ロック手段２５Ｂが係止する。このとき、第１ロック手段２５Ａの係止突起２６Ａと係止凹部２７Ａは、短い回転半径（Ｌ１）の軌道に沿って大きな傾斜角度で係合されため、係止凹部２７Ａに対する係止突起２６Ａの挿入力は、回転半径（Ｌ２）の長い第２ロック手段２５Ｂより大きくなる。しかし、第１ロック手段２５Ａの係止突起２６Ａの幅Ｗ１は、ロック手段２５Ｂの係止突起２６Ｂの幅Ｗ２より狭く設定しているため、第１ロック手段２５Ａの挿入力が、その分低減され、第２ロック手段２５Ｂと均等な挿入力とすることができる。
【００１４】
図３（Ａ）（Ｂ）は、第二実施形態を示し、第１ロック手段３５Ａの係止突起３６Ａの突出高さＨ１を、第２ロック手段３５Ｂの係止突起３６Ｂの突出高さＨ２より低く設定したものである。このようにすることで、第１ロック手段３５Ａにおける係止突起３６Ａと係止凹部３７Ａとの係止部分が、第２ロック手段３５Ｂにおける係止突起３６Ｂと係止凹部３７Ｂとの係止部分より小さくなって、その挿入力が低減され、第１ロック手段３５Ａと第２ロック手段３５Ｂとの操作性をほぼ均等にすることができる。なお、その他の構成は第１実施形態と同様のため、同一符号を用いて説明を省略する。
【００１５】
なお、上記各実施形態では、ロック手段として距離を隔てて配設した２箇所の例を示したが、３箇所以上の場合にも同様に適用可能であり、ヒンジ部からの距離が短いほど、係止突起と係止凹部との係止部分を小さくすることで対応できる。また、上記各実施形態では、蓋部に係止凹部、箱部に係止突起を設ける設定としたが、逆に蓋部に係止突起、箱部に係止凹部とする設定でもよい。さらに、ロック手段の形状は、図示のものに限定されず、一方の突起と他方の凹部が係合するものであれば、他の形状のものも採用可能である。
【００１６】
【発明の効果】
以上の説明より明らかなように、本発明のワイヤハーネス用蓋付きボックスによれば、距離を隔てて配設された２箇所以上のロック手段の係合操作に際し、ヒンジ部からの距離の短い側の係止部分を、距離の長い側の係止部分より小さくすることで、両方のロック手段を係合させる力を均等にバランスさせることができる。よって、箱部に対し蓋部を閉鎖させる際の作業性を向上することができる。
【図面の簡単な説明】
【図１】  本発明におけるワイヤハーネス用蓋付きボックスの第一実施形態の斜視図である。
【図２】  （Ａ）（Ｂ）は箱部への蓋部の閉鎖操作を示す図、（Ｃ）は第１ロック手段の断面図である。
【図３】  （Ａ）（Ｂ）は第二実施形態を示す図である。
【図４】  （Ａ）（Ｂ）は従来例を示す図である。
【図５】  （Ａ）乃至（Ｃ）は従来例を示す図である。
【符号の説明】
２１  蓋付きボックス
２２  箱部
２２ａ  開口部
２２ｂ  側壁
２３  ヒンジ部
２４  蓋部
２４ａ、２４ｂ  側枠
２５  ロック手段
２５Ａ、３５Ａ  第１ロック手段
２５Ｂ、３５Ｂ  第２ロック手段
２６Ａ、２６Ｂ、３６Ａ、３６Ｂ  係止突起
２７Ａ、２７Ｂ、３７Ａ、３７Ｂ  係止凹部
【図１】
0003925026.tif 000002
【図２】
0003925026.tif 000003
【図３】
0003925026.tif 000004
【図４】
0003925026.tif 000005
【図５】
0003925026.tif 000006